(57)【要約】【課題】  メモリ制御手段が複数存在するシステムにおいて、メモリの内容を保持したままメモリ制御手段を自動で切り換えることができるメモリ制御技術を提供する。【解決手段】  ＤＶＤメモリ制御回路１、ＢＤメモリ制御回路２、ＳＤＲＡＭ３、システムマイコン４、マルチプレクサ５〜７、セルフリフレッシュコマンド発生回路８などから構成されるＤＶＤおよびＢＤ記録再生装置において、メモリ制御を切り換える際に、ＤＶＤメモリ制御回路１およびＢＤメモリ制御回路２のうち、一方のメモリ制御回路がＳＤＲＡＭ３をセルフリフレッシュモードにして解放し、他方のメモリ制御回路がメモリ制御を開始することによりＳＤＲＡＭ３の内容を保持したまま複数のメモリ制御回路を自動で切り換える。【選択図】  図１
2006331486.tif 000002
【特許請求の範囲】
【請求項１】
データを一時的に記憶するメモリと、前記メモリを制御してデータの入出力を行う複数のメモリ制御手段と、前記複数のメモリ制御手段からの制御信号、およびクロックを切り換える切り換え手段と、セルフリフレッシュコマンド発生手段とを備え、
メモリ制御を切り換える際に、第１のメモリ制御手段が前記メモリをセルフリフレッシュモードにして解放し、第２のメモリ制御手段がメモリ制御を開始することにより前記メモリの内容を保持したまま前記複数のメモリ制御手段を自動で切り換えることを特徴とするメモリ制御装置。
【請求項２】
データを一時的に記憶するメモリと、前記メモリを制御してデータの入出力を行う複数のメモリ制御手段と、前記複数のメモリ制御手段からの制御信号を切り換える切り換え手段と、セルフリフレッシュコマンド発生手段とを備え、
メモリ制御を切り換える際に、第１のメモリ制御手段が前記メモリをセルフリフレッシュモードにして解放し、第２のメモリ制御手段がメモリ制御を開始することにより前記メモリの内容を保持したまま前記複数のメモリ制御手段を自動で切り換えることを特徴とするメモリ制御装置。
【請求項３】
データを一時的に記憶するメモリと、前記メモリを制御してデータの入出力を行うメモリ制御手段と、前記メモリ制御手段からの制御信号を切り換える切り換え手段と、セルフリフレッシュコマンド発生手段とを備え、
メモリ制御を解放する際に、前記メモリ制御手段が前記メモリをセルフリフレッシュモードにして解放し、再び前記メモリ制御手段がメモリ制御を開始することにより前記メモリの内容を保持したまま前記メモリ制御手段の制御と解放とを自動で切り換えることを特徴とするメモリ制御装置。
【請求項４】
データを一時的に記憶するメモリと、前記メモリを制御してデータの入出力を行う複数のメモリ制御手段と、前記複数のメモリ制御手段からの制御信号、およびクロックを切り換える切り換え手段と、セルフリフレッシュコマンド発生手段とを備えたメモリ制御装置におけるメモリ制御方法であって、
メモリ制御を切り換える際に、第１のメモリ制御手段が前記メモリをセルフリフレッシュモードにして解放し、第２のメモリ制御手段がメモリ制御を開始することにより前記メモリの内容を保持したまま前記複数のメモリ制御手段を自動で切り換えることを特徴とするメモリ制御方法。
【請求項５】
データを一時的に記憶するメモリと、前記メモリを制御してデータの入出力を行う複数のメモリ制御手段と、前記複数のメモリ制御手段からの制御信号を切り換える切り換え手段と、セルフリフレッシュコマンド発生手段とを備えたメモリ制御装置におけるメモリ制御方法であって、
メモリ制御を切り換える際に、第１のメモリ制御手段が前記メモリをセルフリフレッシュモードにして解放し、第２のメモリ制御手段がメモリ制御を開始することにより前記メモリの内容を保持したまま前記複数のメモリ制御手段を自動で切り換えることを特徴とするメモリ制御方法。
【請求項６】
データを一時的に記憶するメモリと、前記メモリを制御してデータの入出力を行うメモリ制御手段と、前記メモリ制御手段からの制御信号を切り換える切り換え手段と、セルフリフレッシュコマンド発生手段とを備えたメモリ制御装置におけるメモリ制御方法であって、
メモリ制御を解放する際に、前記メモリ制御手段が前記メモリをセルフリフレッシュモードにして解放し、再び前記メモリ制御手段がメモリ制御を開始することにより前記メモリの内容を保持したまま前記メモリ制御手段の制御と解放とを自動で切り換えることを特徴とするメモリ制御方法。
【発明の詳細な説明】
【技術分野】
【０００１】
本発明は、メモリに対してデータの入出力を行うメモリ制御技術に関し、特にＤＶＤおよびＢＤ記録再生装置に適用して有効な技術に関する。
【背景技術】
【０００２】
光ディスクの代表例であるＤＶＤ（Ｄｉｇｉｔａｌ  Ｖｅｒｓａｔｉｌｅ  Ｄｉｓｃ）を記録可能としたものにＤＶＤ−ＲＡＭ、ＤＶＤ−Ｒ等がある。これらの光ディスクの記録再生装置では、ＤＲＡＭ（Ｄｙｎａｍｉｃ  ＲＡＭ）をデータの誤り訂正および誤り訂正符号付加用メモリやバッファメモリとして使用している。また、次世代の光ディスクとしては、ＡＯＤ（Ａｄｖａｎｃｅｄ  Ｏｐｔｉｃａｌ  Ｄｉｓｃ）やＢＤ（Ｂｌｕ−ｒａｙ  Ｄｉｓｃ）等がある。
【０００３】
例えば、ＤＶＤでは、次のような単位で誤り訂正符号が付加されており、データの誤り訂正や誤り訂正符号の付加をメモリ上で行う。ＤＶＤに採用されている誤り訂正符号は、ＣＤ、ＤＡＴ等でも用いられているＣＩＲＣ（Ｃｒｏｓｓ  Ｉｎｔｅｒｌｅａｖｅ  Ｒｅｅｄ−Ｓｏｌｏｍｏｎ  Ｃｏｄｅ）であり、内符号誤り訂正符号ＰＩ（Ｐａｒｉｔｙ  Ｉｎｎｅｒ）と外符号誤り訂正符号ＰＯ（Ｐａｒｉｔｙ  Ｏｕｔｅｒ）による高い訂正能力を持つ。データは、１バイト単位に区切られ、識別アドレスが付加されてセクタが構成され、１６セクタを集めてマトリックスをなし、列方向のデータには第２の誤り訂正符号であるＰＯ符号が付加され、行方向のデータとＰＯ符号に対して第１の誤り訂正符号であるＰＩ符号が付加されている。１セクタは２ｋバイトのデータを持ち、１６セクタ（３２ｋバイト）のデータと誤り訂正符号ＰＩ、ＰＯで１つの処理ブロックが構成される。
【０００４】
データ再生を行うには、まず光ディスクから再生したデータを復調回路で８／１６復調し、メモリに格納する。次に、格納したデータに１ブロック（３２ｋバイト）単位でＰＩ系列、ＰＯ系列それぞれの系列について誤り訂正を行った後、デスクランブルを行う。誤り訂正とデスクランブルの完了したデータは、ＡＴＡＰＩを介してホストコンピュータに送られる。データ記録を行うには、まずＡＴＡＰＩを介してホストコンピュータから送られたデータをメモリに格納する。次に、格納したデータをスクランブルしてから１ブロック単位でＰＩ系列、ＰＯ系列それぞれの系列について誤り訂正符号を付加し、誤り訂正符号付加が完了したデータを変調回路で８／１６変調して光ディスクに記録する。
【０００５】
一方、ＢＤの誤り訂正ブロックは６４ｋバイトのデータを単位に構成されており、このデータに付加されている誤り訂正符号はＲｅｅｄ−Ｓｏｌｏｍｏｎ  Ｃｏｄｅである。データは、１バイト単位に区切られ、データ２１６バイトに対して誤り訂正符号３２バイトが付加される。この２１６＋３２＝２４８バイトをコードワードと呼び、３０４個集めた上でインタリーブが施されて１５２×４９６ＥＣＣブロックが構成される。さらに、このＥＣＣブロックにシンクコードとＢＩＳ（Ｂｕｒｓｔ  Ｉｎｄｉｃａｔｏｒ  Ｓｕｂｃｏｄｅ）と呼ばれる強力な訂正符号付きのデータが埋め込まれている。ＢＩＳにはデータ３０バイトに対して誤り訂正符号３２バイトが付加されており、ＢＤではＢＩＳによりバースト誤りの位置を予知してエラー訂正をすることにより訂正能力を高めている。なお、ＢＩＳのデータ３０バイトには５バイトのアドレス情報と４バイトの誤り訂正符号が含まれている。
【０００６】
データ再生を行うには、まず光ディスクから再生したデータを復調回路で１−７ＰＰ（Ｐａｒｉｔｙ  Ｐｒｅｓｅｒｖｅ）復調してメモリに格納する。次に、格納したデータのインタリーブを解いて誤り訂正を行った後、デスクランブルを行う。誤り訂正とデスクランブルの完了したデータは、ＡＴＡＰＩを介してホストコンピュータに送られる。データ記録を行うには、まずＡＴＡＰＩを介してホストコンピュータから送られたデータをメモリに格納し、スクランブルしてから誤り訂正符号を付加し、誤り訂正符号付加が完了したデータをインタリーブして変調回路で１−７ＰＰ変調して光ディスクに記録する。
【０００７】
ところで、以上のディジタルデータ記録再生装置の低コスト化を図るためには、使用するメモリをできるだけ共用する必要がある。そこで、特許文献１では、光ディスク記録再生装置の記録系と再生系とでメモリ等の回路要素の共用化を図っている。共用化に際しては、記録系と再生系を１つメモリ制御回路に接続するのが一般的だが、記録系と再生系で別々のメモリ制御回路を持ち、システムマイコンが各々のメモリ制御回路を切り換えることによりメモリを共用することも可能である。同様に、ＤＶＤやＢＤ等の複数のシステムでメモリを共用する際、ＤＶＤやＢＤ等のシステム毎にメモリ制御回路を持ち、システムマイコンが各々のメモリ制御回路を切り換えることによりメモリを共用することも可能である。
【特許文献１】特開２００２−３１３０１６号公報
【発明の開示】
【発明が解決しようとする課題】
【０００８】
ところで、前記のようなメモリ制御技術においては、一般に、複数のシステムでメモリを共用する際、メモリ制御回路を１つにまとめた方が回路規模は小さくなるが、もともと別々のシステムであったものを統合する場合は、メモリ制御回路を１つにまとめずに各々のメモリ制御回路を切り換えた方が回路の開発期間を短縮できることがある。しかし、システム毎に別々のメモリ制御回路を持つと、システム間でメモリの内容を受け渡すことが難しくなるという問題がある。
【０００９】
また、前記特許文献１では、ＣＤのＣＩＲＣ演算用のメモリを記録系と再生系とで共用しているが、一般に、記録系と再生系の演算ではメモリの内容を受け渡す必要はないため、記録系と再生系で別々のメモリ制御回路を持ったとしても問題はない。しかし、ＤＶＤやＢＤ等でメモリを共用する場合、特にバッファメモリとしても兼用する場合はシステム共通のデータを持つ必要がある場合がある。また、ＤＶＤとＢＤの両方が記録されているディスクを再生する場合は、両方のディスク管理情報を保持しておく必要がある。
【００１０】
そこで、本発明の目的は、メモリ制御手段が複数存在するシステムにおいて、メモリの内容を保持したままメモリ制御手段を自動で切り換えることができるメモリ制御技術を提供することにある。
【００１１】
本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、次のとおりである。
【００１３】
本発明は、上記の課題を解決するために、以下のような技術手段を採用する。すなわち、本発明は、メモリを制御してデータの入出力を行うメモリ制御装置、メモリ制御方法に適用され、データを一時的に記憶するメモリと、メモリを制御してデータの入出力を行う複数のメモリ制御手段と、複数のメモリ制御手段からのアドレス、コマンド等の制御信号、およびクロックを切り換える切り換え手段と、セルフリフレッシュコマンド発生手段とを備え、メモリ制御を切り換える際に、第１のメモリ制御手段がメモリをセルフリフレッシュモードにして解放し、第２のメモリ制御手段がメモリ制御を開始することによりメモリの内容を保持したまま複数のメモリ制御手段を自動で切り換えるものである。
【発明の効果】
【００１４】
本願において開示される発明のうち、代表的なものによって得られる効果を簡単に説明すれば以下のとおりである。
【００１５】
本発明によれば、メモリ制御手段が複数存在するシステムにおいて、メモリの内容を保持したままメモリ制御手段を自動で切り換えることで、複数のシステムでメモリの共有化を図ることができる。
【発明を実施するための最良の形態】
【００１６】
以下、本発明の実施の形態を図面に基づいて詳細に説明する。なお、実施の形態を説明するための全図において、同一の部材には原則として同一の符号を付し、その繰り返しの説明は省略する。
【００１７】
以下、本発明のメモリ制御装置およびメモリ制御方法による各実施の形態を、ＤＶＤおよびＢＤ記録再生装置に適用した場合について説明する。
【００１８】
（第１の実施の形態）
図１は、本発明の第１の実施の形態であるＤＶＤおよびＢＤ記録再生装置の構成の一例を示すブロック図である。
【００１９】
本実施の形態のＤＶＤおよびＢＤ記録再生装置は、メモリを制御してデータの入出力を行うメモリ制御手段である、ＤＶＤメモリ制御回路１およびＢＤメモリ制御回路２、データを一時的に記憶するメモリであるＳＤＲＡＭ３、システムマイコン４、メモリ制御回路からのアドレス、コマンド等の制御信号、およびクロックを切り換える切り換え手段であるマルチプレクサ５〜７、セルフリフレッシュコマンド発生手段であるセルフリフレッシュコマンド発生回路８、遅延回路９，１０、ＯＲ回路１１，１６などから構成される。
【００２０】
ＤＶＤメモリ制御回路１は、ＳＤＲＡＭ３を制御してデータの入出力を行う。図には記載していないが、ＤＶＤメモリ制御回路１にはＤＶＤエンコーダ／デコーダ等が接続されており、ＤＶＤメモリ制御回路１を介してＳＤＲＡＭ３に対するデータ書き込み、読み出しを行い、ＤＶＤデータのエンコード／デコードを行う。
【００２１】
ＢＤメモリ制御回路２は、ＳＤＲＡＭ３を制御してデータの入出力を行う。図には記載していないが、ＢＤメモリ制御回路２にはＢＤエンコーダ／デコーダ等が接続されており、ＢＤメモリ制御回路２を介してＳＤＲＡＭ３に対するデータ書き込み、読み出しを行い、ＢＤデータのエンコード／デコードを行う。
【００２２】
ＳＤＲＡＭ３は、ＤＶＤメモリ制御回路１あるいはＢＤメモリ制御回路２に制御されてデータの一時記憶を行う。システムマイコン４は、ＤＶＤを記録再生する場合にはＤＶＤメモリ制御回路１にＳＤＲＡＭ３を制御させ、ＢＤを記録再生する場合にはＢＤメモリ制御回路２にＳＤＲＡＭ３を制御させる。
【００２３】
マルチプレクサ５は、ＤＶＤメモリ制御回路１からのアドレスとＢＤメモリ制御回路２からのアドレスを切り換えてＳＤＲＡＭ３に出力する。マルチプレクサ６は、ＤＶＤメモリ制御回路１からのクロックとＢＤメモリ制御回路２からのクロックを切り換えてＳＤＲＡＭ３に出力する。マルチプレクサ７は、ＤＶＤメモリ制御回路１からのコマンド、ＢＤメモリ制御回路２からのコマンドとセルフリフレッシュコマンド発生回路８からのコマンドを切り換えてＳＤＲＡＭ３に出力する。
【００２４】
セルフリフレッシュコマンド発生回路８は、一方のメモリ制御回路から他方のメモリ制御回路に切り換える際に、ＯＲ回路１６を介して入力される、ＤＶＤメモリ制御回路１からのクロックイネーブル、ＢＤメモリ制御回路２からのクロックイネーブルに基づいて、セルフリフレッシュコマンドを発生させる。遅延回路９，１０は、各々ＤＶＤメモリ制御回路１からのクロックイネーブルとＢＤメモリ制御回路２からのクロックイネーブルを遅延させる。遅延させたクロックイネーブルはＯＲ回路１１を介してＳＤＲＡＭ３に出力する。
【００２５】
図２は、本発明の第１の実施の形態であるＤＶＤおよびＢＤ記録再生装置におけるマルチプレクサ５，６の構成の一例を示す回路図である。
【００２６】
マルチプレクサ５（６）は、ＡＮＤゲート、ＯＲゲートからなり、ＤＶＤメモリ制御回路１からのアドレス（クロック）と、ＢＤメモリ制御回路２からのアドレス（クロック）をクロックイネーブルにより切り換えてＳＤＲＡＭ３に出力する。ＤＶＤクロックイネーブルが出力されている場合はＤＶＤのアドレス（クロック）が選択され、ＢＤクロックイネーブルが出力されている場合はＢＤのアドレス（クロック）が選択される。どちらのクロックイネーブルも出力されていない場合はアドレス（クロック）をＳＤＲＡＭ３に出力しない。
【００２７】
図３は、本発明の第１の実施の形態であるＤＶＤおよびＢＤ記録再生装置におけるマルチプレクサ７の構成の一例を示す回路図である。
【００２８】
マルチプレクサ７は、ＡＮＤゲート、ＯＲゲート、ＮＯＲゲートからなり、ＤＶＤメモリ制御回路１からのコマンドとＢＤメモリ制御回路２からのコマンドをクロックイネーブルにより切り換えてＳＤＲＡＭ３に出力する。ＤＶＤクロックイネーブルが出力されている場合はＤＶＤのコマンドが選択され、ＢＤクロックイネーブルが出力されている場合はＢＤのコマンドが選択される。どちらのクロックイネーブルも出力されていない場合はセルフリフレッシュコマンド発生回路８からのコマンドをＳＤＲＡＭ３に出力する。
【００２９】
図４は、本発明の第１の実施の形態であるＤＶＤおよびＢＤ記録再生装置におけるセルフリフレッシュコマンド発生回路８の構成の一例を示す回路図である。
【００３０】
セルフリフレッシュコマンド発生回路８は、フリップフロップ、ＮＯＲゲート、セルフリフレッシュコマンド回路からなり、ＤＶＤメモリ制御回路１とＢＤメモリ制御回路２からのクロックイネーブルの立ち下がりエッジ検出を行い、セルフリフレッシュコマンドを発生する。
【００３１】
図５は、本発明の第１の実施の形態であるＤＶＤおよびＢＤ記録再生装置の動作の一例を示すタイミングチャートである。このタイミングチャートではＤＶＤからＢＤにメモリ制御を移す動作を示している。
【００３２】
まず、ＤＶＤメモリ制御回路１からのアドレス、コマンド、データ、クロックによるメモリアクセスを停止し、ＤＶＤクロックイネーブルを“Ｈ”から“Ｌ”にする。このクロックイネーブルの立ち下がりエッジをセルフリフレッシュコマンド発生回路８が検出し、セルフリフレッシュコマンドを発行する。この時、コマンド用のマルチプレクサ７はセルフリフレッシュコマンド発生回路８の出力を選択しているため、セルフリフレッシュコマンドはＳＤＲＡＭ３に出力される。
【００３３】
またこの時、ＤＶＤメモリ制御回路１からのＤＶＤクロックイネーブルは“Ｌ”であるが、遅延回路９によりＳＤＲＡＭ３へのクロックイネーブルはまだ“Ｈ”であり、かつＳＤＲＡＭ３へのクロックが供給されているため、セルフリフレッシュコマンドがＳＤＲＡＭ３に受け付けられる。この後、ＳＤＲＡＭ３へのクロックイネーブルが“Ｌ”となり、ＳＤＲＡＭ３はセルフリフレッシュを開始する。
【００３４】
次に、ＢＤメモリ制御回路２からのＢＤクロックイネーブルを“Ｌ”から“Ｈ”にする。遅延回路１０により遅延した後、ＳＤＲＡＭ３のクロックイネーブルが“Ｌ”から“Ｈ”になり、ＳＤＲＡＭ３はセルフリフレッシュを終了し、以降ＳＤＲＡＭ３はＢＤメモリ制御回路２からのアドレス、コマンド、データ、クロックにより制御される。
【００３５】
本タイミングチャートには、２つのメモリ制御回路から出力されるクロックが同一のものとして記載してあるが、本実施の形態では２つのクロックが同一の必要はなく、異なるクロックであっても問題なく動作可能である。また、本タイミングチャートは、一方のメモリ制御回路から他方のメモリ制御回路へのメモリ制御切り換え動作を示したものであるが、一方のメモリ制御回路から再び同じメモリ制御回路へのメモリ制御切り換えを行うことも可能である。
【００３６】
以上の構成により、本発明の第１の実施の形態では、メモリ制御を切り換える際に、ＤＶＤメモリ制御回路１およびＢＤメモリ制御回路２のうち、一方のメモリ制御回路がＳＤＲＡＭ３をセルフリフレッシュモードにして解放し、他方のメモリ制御回路がメモリ制御を開始することによりＳＤＲＡＭ３の内容を保持したまま複数のメモリ制御回路を自動で切り換えることができる。
【００３７】
（第２の実施の形態）
図６は、本発明の第２の実施の形態であるＤＶＤおよびＢＤ記録再生装置の構成の一例を示すブロック図である。
【００３８】
本実施の形態のＤＶＤおよびＢＤ記録再生装置は、ＤＶＤメモリ制御回路１２、ＢＤメモリ制御回路１３が、外部のクロック生成回路１４からクロック供給を受ける点が、前記第１の実施の形態のＤＶＤメモリ制御回路とＢＤメモリ制御回路とは異なる。他は、前記第１の実施の形態と同様であるので説明は省略する。
【００３９】
ＤＶＤメモリ制御回路１２は、クロック生成回路１４からクロック供給を受け、ＳＤＲＡＭ３を制御してデータの入出力を行う。図には記載していないが、ＤＶＤメモリ制御回路１２にはＤＶＤエンコーダ／デコーダ等が接続されており、ＤＶＤメモリ制御回路１２を介してＳＤＲＡＭ３に対するデータ書き込み、読み出しを行い、ＤＶＤデータのエンコード／デコードを行う。
【００４０】
ＢＤメモリ制御回路１３は、クロック生成回路１４からクロック供給を受け、ＳＤＲＡＭ３を制御してデータの入出力を行う。図には記載していないが、ＢＤメモリ制御回路１３にはＢＤエンコーダ／デコーダ等が接続されており、ＢＤメモリ制御回路１３を介してＳＤＲＡＭ３に対するデータ書き込み、読み出しを行い、ＢＤデータのエンコード／デコードを行う。
【００４１】
クロック生成回路１４は、ＤＶＤメモリ制御回路１２、ＢＤメモリ制御回路１３とＳＤＲＡＭ３にクロックを供給する。
【００４２】
以上の構成により、本発明の第２の実施の形態では、メモリ制御を切り換える際に、ＤＶＤメモリ制御回路１２およびＢＤメモリ制御回路１３のうち、一方のメモリ制御回路がＳＤＲＡＭ３をセルフリフレッシュモードにして解放し、他方のメモリ制御回路がメモリ制御を開始することによりＳＤＲＡＭ３の内容を保持したまま複数のメモリ制御回路を自動で切り換えることができる。また、ＤＶＤメモリ制御回路１２とＢＤメモリ制御回路１３とで共通のクロックを用いているため、ＳＤＲＡＭ３に供給するクロックを切り換える必要がなく、前記第１の実施の形態よりも回路を簡素化することが可能である。
【００４３】
（第３の実施の形態）
第３の実施の形態は、前記第１、第２の実施の形態と異なり、ＤＶＤ記録再生装置あるいはＢＤ記録再生装置に適用した場合の例である。ここでは、ＤＶＤ記録再生装置に適用した場合を説明する。
【００４４】
図７は、本発明の第３の実施の形態であるＤＶＤ記録再生装置の構成の一例を示すブロック図である。
【００４５】
本実施の形態のＤＶＤ記録再生装置は、ＤＶＤメモリ制御回路１、ＳＤＲＡＭ３、システムマイコン４、マルチプレクサ１５、セルフリフレッシュコマンド発生回路８、遅延回路９などから構成され、マルチプレクサ１５が前記第１の実施の形態と異なる。他は、前記第１の実施の形態と同様であるので説明は省略する。
【００４６】
マルチプレクサ１５は、ＤＶＤメモリ制御回路１からのコマンドとセルフリフレッシュコマンド発生回路８からのコマンドを切り換えてＳＤＲＡＭ３に出力する。メモリ制御回路が１つのため、ＳＤＲＡＭ３に出力するアドレス、クロックは切り換える必要がない。本実施の形態では、メモリ制御回路が１つのため、メモリ制御切り換えを行うわけではないが、セルフリフレッシュ期間中にメモリ制御回路を停止させることができる。
【００４７】
図８は、本発明の第３の実施の形態であるＤＶＤ記録再生装置におけるマルチプレクサ１５の構成の一例を示す回路図である。
【００４８】
マルチプレクサ１５は、ＡＮＤゲート、ＯＲゲートからなり、ＤＶＤメモリ制御回路１からのコマンドをクロックイネーブルにより切り換えてＳＤＲＡＭ３に出力する。ＤＶＤクロックイネーブルが出力されている場合はＤＶＤのコマンドが選択され、クロックイネーブルが出力されていない場合はセルフリフレッシュコマンド発生回路８からのコマンドをＳＤＲＡＭ３に出力する。
【００４９】
以上の構成により、本発明の第３の実施の形態では、ＤＶＤメモリ制御回路１がＳＤＲＡＭ３をセルフリフレッシュモードにして解放し、再びＤＶＤメモリ制御回路１がメモリ制御を開始することによりＳＤＲＡＭ３の内容を保持したままＤＶＤメモリ制御回路１を停止させることができる。
【００５０】
なお、上記各実施の形態では、本発明をＤＶＤおよびＢＤ記録再生装置に適用した場合を例として説明したが、本発明は上記各実施の形態に限定されるものではなく、その主旨を逸脱しない範囲で種々に変形して実施することが可能であることはいうまでもない。
【産業上の利用可能性】
【００５１】
本発明は、メモリに対してデータの入出力を行うメモリ制御技術に関し、特にＤＶＤおよびＢＤ記録再生装置に適用して有効である。
【図面の簡単な説明】
【００５２】
【図１】本発明の第１の実施の形態であるＤＶＤおよびＢＤ記録再生装置の構成の一例を示すブロック図である。
【図２】本発明の第１の実施の形態であるＤＶＤおよびＢＤ記録再生装置における、マルチプレクサ（５，６）の構成の一例を示す回路図である。
【図３】本発明の第１の実施の形態であるＤＶＤおよびＢＤ記録再生装置におけるマルチプレクサ（７）の構成の一例を示す回路図である。
【図４】本発明の第１の実施の形態であるＤＶＤおよびＢＤ記録再生装置におけるセルフリフレッシュコマンド発生回路の構成の一例を示す回路図である。
【図５】本発明の第１の実施の形態であるＤＶＤおよびＢＤ記録再生装置の動作の一例を示すタイミングチャートである。
【図６】本発明の第２の実施の形態であるＤＶＤおよびＢＤ記録再生装置の構成の一例を示すブロック図である。
【図７】本発明の第３の実施の形態であるＤＶＤ記録再生装置の構成の一例を示すブロック図である。
【図８】本発明の第３の実施の形態であるＤＶＤ記録再生装置におけるマルチプレクサの構成の一例を示す回路図である。
【符号の説明】
【００５３】
１…ＤＶＤメモリ制御回路、２…ＢＤメモリ制御回路、３…ＳＤＲＡＭ、４…システムマイコン、５…マルチプレクサ、６…マルチプレクサ、７…マルチプレクサ、８…セルフリフレッシュコマンド発生回路、９…遅延回路、１０…遅延回路、１１…ＯＲ回路、１２…ＤＶＤメモリ制御回路、１３…ＢＤメモリ制御回路、１４…クロック生成回路、１５…マルチプレクサ、１６…ＯＲ回路。
【図１】
2006331486.tif 000003
【図２】
2006331486.tif 000004
【図３】
2006331486.tif 000005
【図４】
2006331486.tif 000006
【図５】
2006331486.tif 000007
【図６】
2006331486.tif 000008
【図７】
2006331486.tif 000009
【図８】
2006331486.tif 000010